(57)【要約】【課題】  非接触型ICモジュールとHDDとを内蔵した携帯電子機器のHDDを衝撃から保護する。【解決手段】  モード１は、非接触型ICモジュール８の動作を許可し、HDD部６の動作を禁止する。モード２は、非接触型ICモジュール８の動作を禁止し、HDD部６の動作を許可する。モード１からモード２へ切り替えると、非接触型ICモジュール８の動作が禁止されるので、HDD部６は衝撃や電磁波、磁力による影響を受けることなく書き込み又は読み出しを行うことができる。モード２からモード１へ切り替えると、磁気ヘッド２８を退避させてからHDD部６の動作が禁止されるので、衝撃によるヘッドクラッシュを防ぐことができる。また、モード切り替えや、モード１中に書き込み又は読み出しを指示しても動作不可能であることが報知部２５により報知される。【選択図】        図４
2006040486.tif 000002
【特許請求の範囲】
【請求項１】
非接触型ICモジュールと、磁気ヘッドを所定の退避位置から磁気記録媒体上に移動させて情報の書き込み又は読み出しを行う磁気記録装置と、前記非接触型ICモジュールによる無線通信動作を許容すると共に、前記磁気記録装置の書き込み及び読み出し動作を禁止する第１のモード、及び前記非接触型ICモジュールによる無線通信動作を禁止する第２のモードとを選択的に設定する制御手段とを設けたことを特徴とする携帯電子機器。
【請求項２】
前記制御手段は、前記第２のモード中で前記磁気記録装置による情報の書き込み又は読み出しが実行されているときに第２のモードから第１のモードに設定を変更する操作がなされたとき、第１のモードへの移行を禁止することを特徴とする請求項１に記載の携帯電子機器。
【請求項３】
前記携帯電子機器は、さらに報知手段を有し、
前記制御手段は、前記第１のモードへの移行が禁止されたときに前記報知手段を制御して第１のモードへの移行が禁止された旨を報知させることを特徴とする請求項２に記載の携帯電子機器。
【請求項４】
前記制御手段は、前記第２のモード中で前記磁気記録装置による情報の書き込み又は読み出しが実行されているときに第２のモードから第１のモードに設定を変更する操作がなされたとき、第１のモードへの移行を禁止し、且つ前記第２のモード中で前記磁気記録装置による情報の書き込み又は読み出しが行われていないときに第２のモードから第１のモードに設定を変更する操作がなされたとき、第１のモードに設定を変更するように制御することを特徴とする請求項１に記載の携帯電子機器。
【請求項５】
前記携帯電子機器は、さらに報知手段を有し、
前記制御手段は、前記第１のモードへの移行が禁止されたときに前記報知手段を制御して第１のモードへの移行が禁止された旨を報知させ、且つ前記第１のモードに設定変更されたときに前記報知手段を制御して第１のモードへの設定変更が完了した旨を報知させるように制御することを特徴とする請求項４に記載の携帯電子機器。
【請求項６】
前記携帯電子機器は、さらに報知手段を有し、
前記制御手段は、前記第２のモード中で前記磁気記録装置による情報の書き込み又は読み出しが実行されているときに第２のモードから第１のモードに設定を変更する操作がなされたとき、前記報知手段を制御して前記磁気記録装置による情報の書き込み又は読み出しが実行中である旨を報知すると共に、前記磁気記録装置の磁気ヘッドを退避位置に退避させ、当該磁気ヘッドの退避が完了すると、第１のモードへの設定を変更し、前記報知手段を制御して、第１のモードへの設定変更が完了した旨を報知するように制御することを特徴とする請求項１に記載の携帯電子機器。
【請求項７】
前記制御手段は、前記第１のモード中に前記磁気記録装置による情報の書き込み又は読み出しを伴う操作がなされたときに、前記報知手段により第１のモード中である旨の報知をさせるように制御することを特徴とする請求項１に記載の携帯電子機器。
【発明の詳細な説明】
【技術分野】
【０００１】
本発明は、HDD（ハードディスクドライブ装置）等の磁気記録装置と非接触型ICモジュールを備えた携帯電話機、PDA、音楽再生装置等の携帯電子機器に関するものである。
【背景技術】
【０００２】
最近の携帯電話機には、無線通信機能を有する非接触型ICモジュールを備えたものや、あるいは非接触型ICモジュールを備えたICカードを着脱可能に装着するものが提案され、一部で実現されつつある。非接触型ICモジュールの用途としては、例えば鉄道の乗車券・定期券機能や電子マネー機能、プリペイド機能、身分証明書機能等に使用されている。例えば、ユーザが非接触型ICモジュールを備えた携帯電話機を駅の自動改札機のデータの書き込み・読み出しを行うデータ送受信装置にかざすことで無線通信によるデータ送受信が行われ、自動的に改札を行うことができる。あるいは商品を購入する際に非接触型ICモジュールを備えた携帯電話機と店に設置されたデータ送受信装置と無線通信することにより商品の代金を支払うことができる。なお、非接触型ICモジュールは、一般にIC（半導体集積回路）チップとアンテナコイルからなり、アンテナコイルはデータ送受信装置と無線通信を行うようになっている。また、非接触型ICモジュールとしては、データ送受信装置から磁力を受けその電磁誘導により発生した電力をICチップの電源として給電するようにした受動タイプと、ICチップ駆動用の電源を持ち、この電源によって直接ICチップを駆動するようにした能動タイプとがある。
【０００３】
一方、携帯電話機で扱うデータは、音声データ、画像データ、文字データ等があるが、近年におけるより高音質、高画質の要求に対応するためにますます大容量のメモリが必要になってきている。しかしながら、従来用いられている半導体メモリは高価であり、容量がそれ程大きくないため、比較的安価で大容量の記録が可能な磁気的な記録再生を行うHDDを用いることが考えられている。最近では小型のHDDが開発され、携帯電話機に内蔵させることも可能になってきている（例えば、特許文献１参照。）。従って、近い将来においては、非接触型ICモジュールとHDDを内蔵した携帯電話機が実現する可能性が高い。
【特許文献１】特開平０９−６５２６８号公報
【発明の開示】
【発明が解決しようとする課題】
【０００４】
上記のように非接触型ICモジュールとHDDとを内蔵した携帯電話機を持つユーザが例えば自動改札機を通過する場合、携帯電話機の非接触型ICモジュール側の面を自動改札機のデータ送受信装置に近接させるだけで非接触でデータの送受信を行えるのであるが、実際には、ユーザは手に持った携帯電話機をデータ送受信装置のリーダ・ライタ部に殆んど衝突といえるほど強く当てて自動改札機を通ることが多い。一方、HDDは、高速で回転する磁気ディスクに微少距離を隔てて浮上する磁気ヘッドとの間で情報の記録／再生を行うもので、データを読み書きするヘッド機構等には非常に精密な機構が用いられている。そのため、HDDによる情報の読み書きが行われている最中に、上記のように携帯電話機をリーダ・ライタ部に強く当てると、その衝撃によってHDDにヘッドクラッシュ等が発生し、データの読み書きに誤動作が生じたり、データの破壊等が生じるという問題があった。また、前記電磁誘導によりアンテナコイルに電力を発生させるための磁力が書き込み・読み出し中のHDDに悪影響を与える恐れもあった。
従って、本発明は上記の問題を解決し、携帯電子機器に用いられるHDDを衝撃から保護することを課題とする。
【課題を解決するための手段】
【０００５】
本発明に係る携帯電子機器は、非接触型ICモジュールと、磁気ヘッドを所定の退避位置から磁気記録媒体上に移動させて情報の書き込み又は読み出しを行う磁気記録装置と、前記非接触型ICモジュールによる無線通信動作を許容すると共に、前記磁気記録装置の書き込み及び読み出し動作を禁止する第１のモード、及び前記非接触型ICモジュールによる無線通信動作を禁止する第２のモードとを選択的に設定する制御手段とを設けたことを特徴とする。
また、本発明に係る携帯電子機器は、前記制御手段は、前記第２のモード中で前記磁気記録装置による情報の書き込み又は読み出しが実行されているときに第２のモードから第１のモードに設定を変更する操作がなされたとき、第１のモードへの移行を禁止することを特徴とする。
【０００６】
さらに、本発明に係る携帯電子機器は、さらに報知手段を有し、前記制御手段は、前記第１のモードへの移行が禁止されたときに前記報知手段を制御して第１のモードへの移行が禁止された旨を報知させることを特徴とする。
また、本発明に係る携帯電子機器は、前記制御手段は、前記第２のモード中で前記磁気記録装置による情報の書き込み又は読み出しが実行されているときに第２のモードから第１のモードに設定を変更する操作がなされたとき、第１のモードへの移行を禁止し、且つ前記第２のモード中で前記磁気記録装置による情報の書き込み又は読み出しが行われていないときに第２のモードから第１のモードに設定を変更する操作がなされたとき、第１のモードに設定を変更するように制御することを特徴とする。
【０００７】
さらに、本発明に係る携帯電子機器は、さらに報知手段を有し、前記制御手段は、前記第１のモードへの移行が禁止されたときに前記報知手段を制御して第１のモードへの移行が禁止された旨を報知させ、且つ前記第１のモードに設定変更されたときに前記報知手段を制御して第１のモードへの設定変更が完了した旨を報知させるように制御することを特徴とする。
また、本発明に係る携帯電子機器は、さらに報知手段を有し、前記制御手段は、前記第２のモード中で前記磁気記録装置による情報の書き込み又は読み出しが実行されているときに第２のモードから第１のモードに設定を変更する操作がなされたとき、前記報知手段を制御して前記磁気記録装置による情報の書き込み又は読み出しが実行中である旨を報知すると共に、前記磁気記録装置の磁気ヘッドを退避位置に退避させ、当該磁気ヘッドの退避が完了すると、第１のモードへの設定を変更し、前記報知手段を制御して、第１のモードへの設定変更が完了した旨を報知するように制御することを特徴とする。
【０００８】
さらに、本発明に係る携帯電子機器は、前記制御手段は、前記第１のモード中に前記磁気記録装置による情報の書き込み又は読み出しを伴う操作がなされたときに、前記報知手段により第１のモード中である旨の報知をさせるように制御することを特徴とする。
【発明の効果】
【０００９】
本発明によれば、第１のモードに切り替えないと非接触型ICモジュール等の無線通信モジュールの通信を行うことができないため、非接触型ICモジュールを用いた通信を行う際にはモード切り替えを行う必要性をユーザに意識させることができる。また、第１のモードではHDD等の磁気記録装置の動作を禁止するようにしてあることから、携帯電子機器をデータ送受信装置等に強く当ててもその衝撃でヘッドクラッシュ等が発生することを防止できる。
【発明を実施するための最良の形態】
【００１０】
以下、本発明の実施形態を図面と共に説明する。
図1は本発明の第１の実施形態による携帯電子機器としての折り畳み式携帯電話機の開状態での正面側からみた外観斜視図を示す。図２は図1の裏側から見た一部を破断した斜視図を示す。なお、この実施形態では、２つの筐体を開閉可能に連結する携帯電話機について説明するが、例えば、１つの筐体からなる携帯電話機であってもよい。また、本発明による携帯電子機器は、携帯電話機だけに限らず、携帯情報端末（PDA）や音楽再生装置等を含むものとする。
図1、図２において、携帯電話機１０は、第１の筐体１及び第２の筐体２を備えている。これら２つの筐体１，２はヒンジ部３を介して折り畳み自在に連結されることにより相互に開閉できるよう構成されている。折り畳まれた際に第２の筐体２と対向する第１の筐体１の対向面１ａには、表示部４とスピーカ部５とを有すると共に、第１の筐体１の内部には、HDD部（磁気記録装置）６が設けられている。また、折り畳まれた際に第１の筐体１と対向する第２の筐体２の対向面２ａには、キー操作部７とマイクロフォン９とを有すると共に、第２の筐体２の内部には、非接触型ICモジュール８を備え、さらに第２の筐体２のヒンジ部３近傍には、基地局と通信するための伸縮自在のアンテナ１１が設けられている。
【００１１】
キー操作部７には、４方向キー、決定キー等を有する多機能操作キー１２、操作ガイダンスに関する操作キー１３、メールに関する操作キー１４、Ｗｅｂ閲覧に関する操作キー１５、電話帳に関する操作キー１６、０〜９・＊♯等のキーからなる操作キー１７等が配置されている。非接触型ICモジュール８は、ICチップ１８とアンテナコイル１９が接続された構成となっており、例えば、第２の筐体２の対向面２ａと反対の外面の一部を構成するバッテリーカバー（不図示）の内面側に配されている。
【００１２】
図３は携帯電話機１０の構成を示すブロック図であり、図１、図２と対応する部分には同一番号が付されている。
図３において、２１は全体を制御するＣＰＵ等の制御部（制御手段）、２２は携帯電話機としての通話を行うための無線通信部で、前記アンテナ１１と接続されている。２３は前記マイクロフォン９からの音声信号を処理して無線通信部２２に送ると共に、無線通信部２２で受信した音声信号を処理して前記スピーカ部５に送る音声処理部、２５はユーザに後述する警告情報等を報知する報知手段の一部である報知部で、鳴動報知や振動報知が行われる。２６はプログラム等を格納するROM、２７は処理用のRAMである。６は前記HDD部で、磁気ディスクに対して画像データ、音声データ等の所定のデータの書き込み又は読み出しを行う。８は前記非接触型ICモジュールで、自動改札機等に設けられたデータ送受信装置との間で無線通信を行う。また、７は前記キー操作部、４は前記表示部で、報知手段として機能する。
【００１３】
図４は上記図３における本発明に関するブロックのみを示すもので、図３と対応する部分には同一番号を付して重複する説明は省略する。
図４において、HDD部６は書き込み又は読み出し用の磁気ヘッド２８と磁気ディスク（磁気記録媒体）２９を備える。また、HDD部６は、磁気ディスク２９を回転駆動するモータ、磁気ヘッド２８を移動させるモータ、各モータの回転制御等を含む各種制御や磁気ディスク２９に対するデータの授受等を行う制御回路、及びバッファメモリ等も備えるが図示は省略する。
なお、磁気ヘッド２８は、停止時には所定の退避位置にあり、データの書き込み又は読み出しを行う時は退避位置から磁気ディスク２９上の制御された書き込み又は読み出し位置まで移動して書き込み又は読み出しを行うようになっている。また、この磁気ヘッド２８は、前記書き込み又は読み出しが終了すると磁気ディスク２９上から離れて元の位置に退避するようになっている。また、書き込み又は読み出し中にキー操作部７によりモードの変更が指示された場合にも、一旦退避位置に戻るようになされている。また、非接触型ICモジュール８は、データ送受信装置３０と無線通信を行う。このデータ送受信装置３０は例えば自動改札機、券売機、レジ等に搭載されている。
【００１４】
図５は第１の筐体１と第２の筐体２とを折り畳んだ閉状態において携帯電話機１０を自動改札機で使用する場合の一例を示す。
図５においては、第１の筐体１と第２の筐体２が重なっていて、表示部４とキー操作部７とが近接対面している。この携帯電話機１０を所有するユーザは、第２の筐体２の非接触型ICモジュール８部分を下に向けてデータ送受信装置３０のリーダ・ライタ部２８の上方にかざしながら自動改札機を通過することにより、非接触型ICモジュール８とデータ送受信装置３０との間で所定のデータの送受信が行われて自動改札処理が実行される。しかしながら前述したように、実際にはユーザは携帯電話機１０をリーダ・ライタ部２８に強く当接させてしまうので、その衝撃がHDD部６に悪影響を及ぼすことになる。
なお、３２は非接触型ICモジュール８のアンテナコイル１９に電磁誘導による電力を発生させるための一定の磁力であり、データ送受信装置３０から出ている。また、ここでは第１の筐体１と第２の筐体２を折り畳んだ状態での使用を説明しているが、図１、図２のように開いた状態で使用しても構わない。
【００１５】
次に、上記構成による動作について説明する。
本実施形態の携帯電話機１０は、キー操作部７の操作によって制御部２１によりモード１（第１のモード）とモード２（第２のモード）に選択的に切り替え設定される。モード１は、非接触型ICモジュール８による無線通信を許可すると共に、HDD部６による書き込み及び読み出しを禁止するモードである。モード２は、非接触型ICモジュール８による無線通信を禁止すると共に、HDD部６による書き込み又は読み出しを許可するモードである。
【００１６】
モード１によれば、HDD部６の書き込み及び読み出し動作が禁止されて磁気ヘッド２８が退避位置にある。そのため、携帯電話機１０がデータ送受信装置３０に接触して衝撃を受けてもヘッドクラッシュが発生することはない。また、データ送受信装置３０からの磁力３２による影響を受けることもない。
モード２によれば、非接触型ICモジュール８の通信が禁止されるので、上記衝撃によるヘッドクラッシュや磁力３２による影響を受けることなく、HDD部６は書き込み又は読み出し動作を行うことができる。
【００１７】
次に、ユーザがキー操作部７を操作して制御部２１に対してモードの切り替え（移行）を指示設定した場合の動作について図６〜８のフローチャートを参照して説明する。
図６において、モード１中にキー操作部７により制御部２１に対してモード２への切り替えが設定されると（ステップS1,以下ステップ略）、非接触型ICモジュール８の無線通信が禁止される（S2）。また、報知部２５や表示部４によりモード２に変更設定されたことがユーザに報知される（S3）。
【００１８】
図７において、モード２中にモード１への切り替えが設定されると（ステップS11）、現在HDD部６が書き込み又は読み出し中であるか否かを判定する（S12）。ここで、書き込み又は読み出し中であれば、モード１に変更できない旨が報知部２５により報知される（S13）。また、書き込み及び読み出し動作中でない場合は、磁気ヘッド２８が退避しているか否かを判定し（S14）、退避していればHDD部６の書き込み及び読み出し動作を禁止する（S15）。また、磁気ヘッド２８が退避していなければ、磁気ヘッド２８を退避させた後（S16）にS15を実行する。その後に、報知部２５や表示部４により磁気ヘッド２８の退避動作が完了したこと、及び、モード1に設定されたことがユーザに報知される（S17）。
【００１９】
図８において、モード１への切り替えが行われ（S21）、その後にHDD部６の書き込み又は読み出し要求があると（S22,YES）、モード１中であり、書き込み及び読み出しは不可能であることが報知部２５や表示部４により報知される（S23）。また、書き込み又は読み出し要求がなければ（S22,NO）、そのままモード１を続ける。なお、上述したS21〜S23は、図６において説明したように、モード１からモード２への切り換えが設定されるまでの間実行される。
【００２０】
本実施形態によれば、モード１からモード２へ切り替えると、非接触型ICモジュール８の無線通信が禁止されるので、HDD部６は衝撃や電磁波、磁力による影響を受けることなく書き込み又は読み出しを行うことができる。
また、モード２からモード１へ切り替えると、磁気ヘッド２８を退避位置に移動させた状態でHDD部６の書き込み及び読み出し動作が禁止され、また、磁気ヘッド２８の退避動作が完了し、モード１に切り替わったことを報知部２５により報知するため、携帯電話機１０をリーダ・ライタ部２８に強く当てた場合でも、衝撃によるヘッドクラッシュを確実に防ぐことができる。
【００２１】
さらに、報知部２５や表示部４によりユーザに対してモード切り替えを報知すると共に、ユーザがモード１中に書き込み又は読み出しを指示しても、動作不可能であることが報知されるため、ユーザに注意を喚起することができる。
また、モード２の状態でHDD部６の書き込み又は読み出しが実行されているときにも、モード２からモード１への移行を禁止すると共に、報知部２５や表示部４によりモード２中であることをユーザに報知するため、ユーザに注意を喚起して、衝撃によるヘッドクラッシュを確実に防ぐことができる。
【００２２】
従って、モード１に切り替えないと非接触型ICモジュール８を動作させることができないため、非接触型ICモジュール８の電磁誘導や磁力を用いることによる無線通信を行う際には、モード切り替えを行う必要があることをユーザに意識させることができる。また、モード１では磁気ヘッド２８を退避させてからHDD部６の動作を禁止するので、携帯電話機１０をデータ送受信装置装置３０に強く当ててもその衝撃でヘッドクラッシュが発生することを防止できる。
【００２３】
図９は本発明の第２の実施形態による携帯電話機（携帯電子機器）３３を示すもので、図１、図２と対応する部分には同一番号を付して重複する説明は省略する。ここでは、１つの筐体３４からなる携帯電話機３３が示されているが、例えば、２つの筐体であってもよい。
図９において、本実施形態では、第１の実施形態に記載した非接触型ICモジュール８を含むICカード３１が形成されており、このICカード３１を筐体３４のカード挿入口３５に着脱可能に装着するようになっている。また、HDD部６もHDD装着口３６に着脱可能に装着するようになっている。
【００２４】
図１０は本実施形態に関する主要な構成部分を示すブロック図であり、図４と対応する部分には同一番号を付して重複する説明は省略する。
図１０において、ICカード３１が図９のカード挿入口３５に装着されると、ICカード３１の接続部（特に図示せず）がカード挿入口３５内に設けられた非接触IC接続部３７に接続される。また、HDD部６がHDD装着口３６に装着されると、HDD部６の接続部（特に図示せず）がHDD装着口３６内に設けられたHDD接続部３８に接続される。
本実施形態によれば、外付けのICカード３１及び外付けのHDD部６を用いることにより、携帯電話機３３を小型軽量化できる。また、１つの携帯電話機３３で複数のICカード３１及び複数のHDD部６を使用できるので、ユーザの利便性を高めながら前記第１の実施形態と同様の効果を得ることができる。なお、ICカード３１又はHDD部６のいずれか一方のみが着脱可能で、他方は携帯電話機３３に内蔵されていてもよい。
【図面の簡単な説明】
【００２５】
【図１】本発明の第１の実施形態による携帯電話機の開状態での正面側から見た斜視図である。
【図２】図1の携帯電話機を裏側から見た一部破断斜視図である。
【図３】本発明の第１の実施形態による携帯電話機の回路構成を示すブロック図である。
【図４】本発明の第１の実施形態による携帯電話機の主要な回路構成を示すブロック図である。
【図５】本発明の第１の実施形態による携帯電話機を自動改札機で使用する状態を示す側面外略図である。
【図６】モード１からモード２への切り替え時の動作を示すフローチャートである
【図７】モード２からモード１への切り替え時の動作を示すフローチャートである
【図８】モード１中の動作を示すフローチャートである。
【図９】本発明の第２の実施形態による携帯電話機の開状態での正面側から見た斜視図である。
【図１０】本発明の第２の実施形態による携帯電話機の主要な回路構成を示すブロック図である。
【符号の説明】
【００２６】
４  表示部（報知手段）
６  HDD部（磁気記録装置）
８  非接触型ICモジュール
１０，３３  携帯電話機（携帯電子機器）
１８  ICチップ
１９  アンテナコイル
２１  制御部（制御手段）
２５  報知部（報知手段）
２８  磁気ヘッド
２９  磁気ディスク（磁気記録媒体）
３１  ICカード
３２  磁力
【図１】
2006040486.tif 000003
【図２】
2006040486.tif 000004
【図３】
2006040486.tif 000005
【図４】
2006040486.tif 000006
【図５】
2006040486.tif 000007
【図６】
2006040486.tif 000008
【図７】
2006040486.tif 000009
【図８】
2006040486.tif 000010
【図９】
2006040486.tif 000011
【図１０】
2006040486.tif 000012